(57)【要約】【課題】ベルトに小物を簡易な方法で吊持し、かつ好体裁の外観を呈すると共に、吊り具を所望の位置に設けることができるベルトの吊り具を提供する。またベルトの長さを調整するのに伴って、吊り具の取り付け位置を移動させることができるかばん類のベルトを提供する。【解決手段】ベルトのピン穴１１に係合する座板１と、前記ピン穴に挿通可能な挿通部２と、その挿通部２の先端に有する吊り紐４とからなり、前記挿通部２を前記ピン穴１１に挿通することによって、吊り紐４がピン穴１１の先方に設けられる。前記挿通部は外向きに付勢する、弾性片によって概略菱形を形成し、その半径方向の最大部にピン穴に係止する段部を形成している。【選択図】図１
2007289427.tif 000002
【特許請求の範囲】
【請求項１】
ベルトの連結用のピン穴に係合する係合部と、前記ピン穴に挿通可能であって、その先端に吊り部材を設けるための軸部とからなり、前記軸部を前記ピン穴に挿通することによって、吊り部材をピン穴の先方に設けることができるベルトの吊り具。
【請求項２】
前記軸部の先端に吊り部材を設けている請求項１記載のベルトの吊り具。
【請求項３】
前記吊り部材が柔軟なループ状の線材である請求項２記載のベルトの吊り具。
【請求項４】
前記軸部が外向きに付勢する複数の弾性片を備えている請求項１記載のベルトの吊り具。
【請求項５】
前記弾性片の外側に、軸部の抜き出し方向への引き戻しを規制する逆止手段を設けている請求項４記載のベルトの吊り具。
【請求項６】
前記係合部が前記ベルトの裏面のピン穴の外周に当接する座板である請求項１記載のベルトの吊り具。
【請求項７】
複数の連結用のピン穴が長手方向に設けられているベルト本体と、その連結用のピン穴に設けられる請求項１から６のいずれかに記載の吊り具とを備えているかばん類のベルト。
【請求項８】
前記ベルト本体が外皮体の内側に弾性体を備えてなり、前記吊り具の軸部が内側から外側に向かって挿通されている請求項７記載のかばん類のベルト。
【発明の詳細な説明】
【技術分野】
【０００１】
本発明は、ベルトの連結用のピン穴を利用して、ベルトに鍵、定期入れ、防犯ブザーなどの小物を簡易的に吊持するためのベルトの吊り具に関する。また吊り具をかばん類などのベルトに設けたかばん類のベルトに関する。
【背景技術】
【０００２】
ベルトの用途は多岐にわたるが、身近な使用例として、かばん類や衣服がある。前者は、ランドセルの背負いベルト、またショルダーバッグの肩掛けベルトなどがある。また衣服類では、ズボンやスカートなどに使用するウエストベルトがある。このような用途のベルトは、手が簡単に届く位置にあるので、これに吊り具などを取り付けて、小物などを吊持することがある。例えば、簡易なものではベルトの周りに細紐などを巻き付けて、その先端に小物を吊持する方法がある。しかし細紐はベルトの所望位置に定着せず、ずれるという欠点があり、また体裁が悪いという問題がある。また吊り具をベルトに固定すると、安定する反面、所望の位置に移動させることができないという問題がある。
【発明の開示】
【発明が解決しようとする課題】
【０００３】
本発明は、ベルトに小物を簡易な方法で吊持し、かつ好体裁の外観を呈すると共に、小物を所望の位置に吊ることができるベルトの吊り具を提供することを課題とする。またベルトの長さ調整をするのに伴って、吊り具の取り付け位置を移動させることができるかばん類のベルトを提供することを課題とする。
【課題を解決するための手段】
【０００４】
本発明のベルトの吊り具（請求項１）は、ベルトの連結用のピン穴に係合する係合部と、前記ピン穴に挿通可能であって、その先端に吊り部材を設けるための軸部とからなり、前記軸部を前記ピン穴に挿通することによって、吊り部材をピン穴の先方に設けることができるのを特徴としている。
【０００５】
前記軸部は、先端に吊り部材を設けているのが好ましい（請求項２）。
【０００６】
前記吊り部材としては柔軟なループ状の線材であるものが特に好ましい（請求項３）。
【０００７】
また前記軸部は外向きに付勢する複数の弾性片を備えているのが好ましい（請求項４）。
【０００８】
さらに前記弾性片の外側に、軸部の抜き出し方向への引き戻しを規制する逆止手段を設けているものは、特に好ましい（請求項５）。
【０００９】
また前記係合部は前記ベルトの裏面のピン穴の外周に当接する座板であるものが好ましい（請求項６）。
【００１０】
本発明のかばん類のベルト（請求項７）は、複数の連結用のピン穴が長手方向に設けられているベルト本体と、その連結用のピン穴に設けられる前記いずれかの吊り具とを備えていることを特徴としている。
【００１１】
前記ベルト本体が、外皮体の内側に弾性体を備えてなり、前記吊り具の軸部が内側から外側に向かって挿通されているものが好ましい（請求項８）。
【発明の効果】
【００１２】
本発明のベルトの吊り具（請求項１）は、その先端に吊り部材を設けるための軸部を連結用のピン穴に挿通することによって、ピン穴の先方に吊り部材を設けることが可能となっている。したがって軸部をピン穴に挿通させた後、当該軸部の先端に所望の形状または大きさの吊り部材を設けることができる。例えば吊り部材がピン穴よりも大きいものは、軸部がピン穴の後方に引っ張られても、ピン穴に係合する。また軸部の後方に位置する係合部は、軸部がピン穴の前方に引っ張られても、ピン穴に係合する。したがって吊り具はピン穴より抜出するのが防止される。また吊り部材がピン穴よりも小さいものは、吊り部材に小物などを吊るすことによって、軸部がピン穴の先方側に引っ張られると共に、軸部の後方に位置する前記係合部がピン穴に係合する。また上記小物はピン穴より大きいものであれば、ピン穴の後方に引っ張られてもピン穴に係合する。したがって吊り具はピン穴から抜出するのが防止される。また軸部は大部分がピン穴によって不外見状態になるので、外見されるのは係合部と、軸部の先部だけであるから、ベルト本体は吊り具を装着している場合であっても、煩雑さがなく好体裁の外観を呈する。また軸部はピン穴によって保護されるので、損傷を免れる。
【００１３】
前記軸部の先端に吊り部材を設けている場合（請求項２）、この吊り具は、ピン穴を通る吊り部材を設けるときは、吊り部材および軸部をピン穴に挿通してベルトに装着するが、また挿通方向とは反対の方向に引き抜くことも可能となっている。したがって吊り具は吊り部材および軸部をピン穴に出し入れする簡単な方法で装着または取り外しができる。なお、吊り部材は吊り具に着脱可能なものでもよいし、また一体ものでもよい。
【００１４】
前記吊り部材が、柔軟なループ状の線材である場合（請求項３）、吊り部材に指や物が当たっても、これらが傷ついたり、またベルトを傷つけたりすることはない。また柔軟であるから、吊り部材に吊持された小物がいろんな方向に引っ張られても、また揺動しても、軸部への負荷を最小限に留めて、軸部の損傷を防止する。また線材であるから、比較的、外見され難いので、ベルトは好体裁の外観を維持できる。
【００１５】
また前記軸部が外向きに付勢する複数の弾性片を備えている場合（請求項４）、軸部はピン穴の内周を押圧した状態でピン穴に固定することが可能となっている。したがって吊り部材に小物などを取り付けていない場合でも、軸部はピン穴から引き戻されることはない。
【００１６】
さらに前記弾性片の外側に、軸部の挿入方向の反対方向に引き戻しを規制する逆止手段を設けている場合（請求項５）、軸部はピン穴に挿入する方向とは反対の方向に抜け出ることが規制されている。したがって軸部は、請求項３の場合よりも一層、ピン穴から引き戻されるのを防止され、またピン穴に一層、密着する。
【００１７】
また前記係合部が、前記ベルトの裏面のピン穴の外周に当接する座板である場合（請求項６）、座板は、吊り部材が先方向に強く引っ張られると、ピン穴の口部周辺に強く当接、あるいは密着することになる。したがって軸部は吊持方向に強く引っ張られても、連結用のピン穴から抜け出ることが、阻止される。またピン穴およびその周辺は座板によって覆われるので、傷付くことが防止される。したがって吊り具を取り外した後のピン穴はほぼ原状を保持する。
【００１８】
また本発明のかばん類のベルト（請求項７）は、複数の連結用のピン穴が長手方向に設けられているベルト本体の当該ピン穴に前記吊り具を設けている。これまでのベルト用吊り具は、ベルトに鋲着されていたので、その吊り具を所望の場所に設けることができなかった。またベルトに巻き付ける細紐の場合も、ベルトに定着しなかったので、所望の場所に設けることができなかった。そのためベルトの長さ調整をしたときに、吊り具が所望の位置から外れることがあった。しかし本発明の吊り具は、ベルト本体に複数の連結用のピン穴が設けられ、またそのピン穴に吊り具の軸部が自由に出し入れできるようになっているので、ベルトの長さを調整した後、所望する位置に吊り具の装着場所を設定することができる。また軸部は先部以外はピン穴に隠れ、ほとんど不外見の状態で装着されるので、複数のピン穴には所望する数の吊り具を装着しても、外観には悪影響はない。またピン穴は適当な間隔が設けられているので、吊り具は自動的に適当な間隔を設けて設置されることになる。
【００１９】
前記ベルト本体が外皮体の内側に弾性体を備えてなり、前記吊り具の軸部が内側から外側に向かって挿通されている場合（請求項８）、ベルト本体を内側に曲げると、ベルト本体の内側は収縮するので、連結用のピン穴の内側は穴が小さくなり、また弾性体は内側が圧縮されることになる。したがって軸部は弾性体に圧着した状態でピン穴に挿通しているので、連結用のピン穴から引き戻されるのが防止される。
【発明を実施するための最良の形態】
【００２０】
次に図面を参照しながら、本発明のベルトの吊り具の実施形態を説明する。図１は本発明の吊り具の一実施形態を示す正面斜視図、図２は図１の吊り具の一使用例の正面斜視図、図３は吊り具の装着説明図、図２の要部拡大断面図、図５は吊り具の取り出し説明図、図６は補助ベルトの他の実施形態を示す要部の底面斜視図、７および図８は吊り具のその他の使用例示図である。
なお、図２は本発明のかばん類のベルトの実施例を示すものでもある。
【００２１】
図１に示すように吊り具Ａは、円形の座板１と、この座板の裏面の中心に設けた、ベルト本体の尾錠用ピン穴（以下、ピン穴という。）に挿通する挿通部２からなる吊り具本体３と、この挿通部２の先端に設けられたループ状の吊り紐４とによってなる。吊り具本体３は硬質の合成樹脂製で一体成型されている。なお、上記吊り具Ａには吊り紐があっても無くてもよい。吊り紐がない場合は、別途、吊り具Ａに吊り紐を取り付ける。以下に吊り具Ａについて詳述する。
【００２２】
図１に示すように、前記座板１の形状は円形になっており、その直径は、例えばピン穴の直径が３mm程度の場合、このピン穴の外周に余裕をもって当接できる６〜１０mm程度が好ましい。特に外観を考慮するならば、７mm前後のものが好ましい。座板１の表面は、緩やかな湾曲面に形成されていると共に、その周縁は、座板１がピン穴の外周に当接した状態において、座板１とベルト表面との間に段差が生じないように、肉薄に形成されている。座板１の形状は円形に限るものではなく、ピン穴の形状と相似形になっているのが望ましい。また座板の形状が角形の場合、その角部はアール形成されているのが好ましい。
【００２３】
前記挿通部２は一端側（以下、先部側という。）２ａと他端側（以下、基部側という。）２ｂのそれぞれが二つのくの字形の片５ａ、５ｂによって構成され、両者で概略偏平な菱形を形成している。そして座板１の裏面にはその長手方向が垂直に立つように、その基部側の片５ｂの端面が取り付けられている。また挿通部２の内側は概略、菱形の空隙６になっているので、その半径方向内側に向かって押圧させることが可能になっている。また２つの片５ａ、５ｂの連結部は挿通部２の半径方向に最大の部分であり、先部側２ａは先細になり、さらに先端面は平滑な曲面を形成している。
【００２４】
また先部側２ａの片５ａの厚さは反対側の基部側２ｂの片５ｂよりも肉厚で、後述の吊持小物の重さに耐えるように頑丈になっている。その厚さの差異により挿通部の半径方向の最大部の外側に段が生じている。図１に示すように段部７、７間の高さＨは前記ピン穴の直径よりも大きいが、段部７、７は押圧されると、偏平になるので、このように小さなピン穴であっても、挿通することができる。また段部７、７は挿通後、その半径方向外側に付勢しているので、ピン穴に密着する。また前記段部７、７は係止作用があるので、挿通部２の抜き出し方向への引き戻しを防止することが可能になっている。
【００２５】
また挿通部２の長さＬはピン穴の奥行（つまりベルトの厚さ）よりも若干長くなっており、また座板１がピン穴周辺に当接した状態において、先部側２ａの先端がピン穴から多少、突き出る。吊り紐４は先部側２ａの最先端の空隙６ａに取り付けている。そのため吊り紐４は、ピン穴の先方に設けられる。したがって、吊り紐４はピン穴を擦ったり、また強く押したりすることを防止しているので、ピン穴の周辺を傷つけたり、拡大あるいは変形させたりすることはない。なお、上記の吊り具本体３はベルトの表裏面と同色にしておく方が、ベルトに同化し易くなるので、好ましい。
【００２６】
前記吊り紐４は、手や指先が当たっても、傷つくことが無い程度の柔軟性と、ピン穴に挿入し易い適当な張り力がある剛性を有し、さらに引っ張っても切れにくい強靭性も有している。またその太さは、外観上、目障りにならない程度に細い松葉くらいの紐が好ましい。例えば、携帯電話のストラップ用紐として使用されている、通称、松葉紐のようなものが特に好ましい。この吊り紐４は空隙６ａの先に挿通させて、その両端を結び、ループ状にしたものである。その結び目は空隙６ａに納めているので、外見されにくい。さらに吊り紐の色をベルトの外皮体と同色にしておく方が、ベルトに同化し易くなるので、好ましい。
【００２７】
次にこの吊り具Ａをランドセルの背負いベルトに使用する場合の使用方法および使用状態について説明する。
図２に示すランドセルＲの背負いベルト１０は、ランドセルの背当て面の上方にその一端を連結し、他端側に複数のピン穴１１を縦設しているベルト本体１２と、ランドセルの底面にその一端を連結し、同他端に尾錠１３を設けている補助ベルト１４とからなる。なお上記ベルト本体１２の一端は、ランドセルＲの背面の上部に設けている連結部材１５に連結し、一方、補助ベルト１４の一端はランドセルＲの底部に設けている連結部材に連結している。ベルト本体１２は、尾錠ピン１３ａがピン穴１１に係合した状態において、内側に向けて曲がり、緩やかに湾曲すると共に、ピン穴１１の周辺も緩やかに湾曲する。またランドセルの背負い状態においてもベルト本体１２の下方、つまりピン穴１１が縦設されている部分は緩やかな湾曲を形成する。
【００２８】
ベルト本体１２は図３〜図５に示すように、外皮体１６ａと内皮体１６ｂ間にそれ相当の厚さを有する弾性体１７が介在している。外皮体１６ａおよび内皮体１６ｂはベルト本体１２に張り性をもたらすと共に、補強作用をしている。ピン穴１１はベルト本体１２を打ち抜いて形成されているので、ピン穴１１の内部は主に弾性体１７によって形成される。
したがってベルト本体１２は、ランドセルＲを背負った状態において、内向きに緩やかな湾曲を形成するので、図３に示すように弾性体１７は内側が外側よりも圧縮され、またピン穴１１は内側の開口穴の径Ｗ１が外側の開口穴の径Ｗ２よりも小さくなっている。また弾性体の中間部の径Ｗ３は段部７、７間の高さＨよりも小さい。また弾性体１７は内側の方が外側よりも圧縮されている。
【００２９】
吊り具本体３をピン穴１１に装着する場合、図３の二点鎖線で示すように、一旦、ベルト本体１２を真っ直ぐ伸ばして、ピン穴の形状を原状に戻す。そして吊り紐４を内側のピン穴１１から挿通し、次に挿通部２をピン穴１１に挿通し、また座板１をピン穴１１の外周に当接する。このとき、挿通部２は、座板１を矢印方向に押すことによって、段部７、７がピン穴１１の内周に押圧されるので、狭いピン穴を挿通し、またその先部はピン穴１１の外側に突き出る。このときピン穴１１から突き出た吊り紐４をピン穴１１の軸方向に引っ張り、座板１をピン穴１１の周辺に強く当接させておけば、吊り具本体はピン穴と一体になる。
なお、図５のようにベルト本体１２を外向きに曲げて、吊り具本体３および吊り紐４を挿通方向とは逆方向に取り出すことを前提にして、図４のように段部７、７はベルト本体１２の長手方向に向かせて、ピン穴に挿通させる。しかして段部７、７はベルト本体１２の長手方向に向いた状態でピン穴１１に収められる。
【００３０】
吊り具本体３がピン穴１１に装着された後、ベルト本体１２は図４に示す使用状態に戻すので、前述のとおり湾曲する。したがって挿通部２は弾性体１７に密着すると共に、段部７、７は弾性体１７に食い込むので、挿入方向と逆行する方向の両方の動きが防止される。特に挿通部２の逆行方向のピン穴、つまり内側のピン穴は弾性体１７が圧縮しているので、段部７、７は弾性体１７に強く食い込み、挿通部２は引き戻しの動きが強力に阻止される。またこれによって座板１がピン穴１１から浮き出ることも防止されるので、座板１に物を引っ掛けることはなく、誤って吊り具本体３がピン穴１１から抜け出ることも防止される。
【００３１】
このように吊り具本体３は、ほぼ全体がピン穴１１と一体になり、また挿通部２がピン穴１１の周囲に固定している。したがって挿通部２の先端に吊持する小物の負荷は挿通部全体で受けるので、先端部が損傷するのを防止する。ひいてはベルト本体１２の外側の開口穴が損傷するのも防止する。したがって吊り具Ａを取り除いた後の上記開口穴の周辺の損傷はほとんどなく、原状を保持する。
【００３２】
また座板１はピン穴１１よりも若干大きい程度なので、ベルト本体１２の外観は余り変わることはない。また挿通部２はピン穴１１に収められているので、外見されにくい。また吊り紐４も外見されにくい。したがって吊り具は全体的にベルト本体への装着が外観に大きく影響するものではない。また本発明の吊り具Ａは非常に小さな物なので、紛失を防止するためにピン穴に常設しておいても、格別の問題はない。またランドセルの背負いベルトは左右一対になっているので、吊り具は一方のベルト本体に複数、設けることも出来るし、また左右に分けて設けることもできるので、便利である。
【００３３】
背負いベルト１２は、ランドセルを背負っている時、また上げ下ろし時に、収納物を含むランドセルの全重量を支えるところであり、また衝撃を受けるところでもあるので、ベルト本体は強度が損なわれないことが重要である。この吊り具はベルト本体に設けられている既存のピン穴を利用し、ベルト本体に余計な造作をしているものではないので、ベルト本体の損傷を防止する。
【００３４】
またランドセルの背負い状態は、ベルト本体が両肩から両脇にかけて、身体に接触または密着するが、この吊り具はベルト本体に同化しているので、身体的にも、また外観的にも違和感はない。この点については。仮に吊り具を複数個、設けた場合でも、極端な違和感はない。背負いベルトは６年間の成長に応じて、長さ調整を可能にするため、ピン穴の数は６〜８個設けられている。しかもそれが左右にある。したがって一方の背負いベルト本体に防犯用笛または防犯ブザーなどの防犯用具を備え、他方にオリジナルの小物を吊り持することもできる。ランドセルや防犯用具は自他の区別がつき難いが、オリジナルの小物をランドセルの外側に設けておく事によって、自他の区別を簡単に見つけることができるので、左右のベルト本体を同時に利用することができる。
【００３５】
またランドセルの背負い状態におけるベルト本体１２のピン穴１１は、児童の脇腹あたりに位置するので、吊り紐４に吊り持させる防犯用具などは脇腹あたりに位置させることが可能となっている。この辺りの吊持小物は、児童の手などが物陰になって、外見され難いが、児童の手が簡単に届く位置にある。したがって防犯ブザーは極力ベルト本体に近接するように短めの吊り紐に吊持させておけば、ぶらつくことがないので、防犯ブザーの位置を迅速に確認できる。また人目にも目立ち難い。このように人目には、防犯ブザーをベルト本体に設けていること、また防犯ブザーを携帯していることが認識されにくいので、万一の場合でも、児童は防犯ブザーの操作を邪魔されないで、迅速に操作することができる。
【００３６】
次に吊り具Ａをピン穴１１から抜き取る場合、まず図３のピン穴の直径Ｗ１を拡大すると共に弾性体１７の圧縮状態を解消し、かつ段部７、７の係止を解除する。このときベルト本体１２の長手方向は簡単に曲げることができるので、図５に示すように、ピン穴１１周辺を図３とは反対方向に湾曲すればよい。このように挿通部２の抜き取り方向に大きいピン穴１１を確保した後、挿通部２の先部側２ａの先端を矢印方向に押して、吊り具本体３をピン穴１１から取り出す。
【００３７】
このように吊り具はピン穴に対する装着および抜出が簡単にできるので、成長するに連れて補助ベルトの尾錠ピンがベルト本体のピン穴に係合する位置が変っていっても、背負いベルトの長さ調節に応じて、空いているピン穴に吊り具を簡単に移動させることができる。また吊り具を取り除いた後のピン穴１１はほとんど損傷しないので、尾錠ピンがピン穴に係合するのに支障はない。
なお、上記補助ベルト１４は尾錠３に代えて、図６に示すように補助ベルト１４に２本のぎぼし形のピン１８を固着しているものであってもよい。このピンは前記実施形態と同様のベルト本体１２のピン穴１１に係合して、ベルト本体１２と連結し、また長さ調節を可能にしている。この場合も吊り具Ａは余りのピン穴１１に装着して使用することができる。
【００３８】
図７および図８はその他の吊り具の使用例を示している。前実施形態のベルト本体は弾性体１７を有するものであったが、本発明の吊り具のベルト本体は弾性体の有無は問わない。
図７ａに示すショルダーバッグの肩ベルト２０の厚味は、図２または図６に示すベルト本体の半分、あるいは半分以下になっている。またピン穴の口部２１ａの径が図１に示す段部７、７の高さＨよりも小さい。本発明の吊り具Ａは図７ｂに示すように挿通部２の段部７、７の係止作用によって、ピン穴２１の奥行が浅いものであっても、口部２１ａの表面に係止することができる。またピン穴の径が段部７、７の付け根付近の高さよりも小さい場合は、段部７、７の付け根は外向きに付勢しているので、段部７、７に近接する片５ｂ、５ｂが口部２１ａの内周に密着する。このように厚味が薄いベルトの場合でも、本発明の吊り具Ａはピン穴に装着して、小物を吊持することができる。
【００３９】
また図８に示すウエストベルト３０についても同理同様である。さらにベルトの裏面側は座板が当接しているだけなので、ウエストベルトを使用したときの身体に対する違和感は皆無に等しい。また表面側は挿通部２の先部側２ｂが突出しているが、このままの状態でベルトをベルトサッシュに出し入れすることができるので、吊り具Ａをわざわざ取り外す必要はない。
【００４０】
全述の吊り具の使用例において、吊り紐の長さは吊り小物をベルト本体に接触または近接した状態で吊持する場合は短めとし、ポケットなどに収納する場合は長めとするなど、自由である。また吊り具は挿通部をベルト本体の外側のピン穴から挿通し、吊り紐をベルト本体の内側に設け、吊持小物をベルトの陰に隠れるようにしてもよい。また吊り紐は挿通部から取り外して、吊り具本体だけをピン穴に装着してもよい。この場合、吊り紐に代えて、金属リングやナスカンなど硬質の着脱自在の吊り部材を吊り具の先端に取り付けてもよい。金属リングやナスカンはピン穴より大型であるから、挿通部がピン穴を逆行して抜け出るのを防止する。
【図面の簡単な説明】
【００４１】
【図１】図１は本発明の吊り具の一実施形態を示す正面斜視図である。
【図２】図２は図１の吊り具の一使用例の正面斜視図である。
【図３】図３は吊り具のベルト本体に装着する説明図である。
【図４】図４は図２の要部拡大断面図である。
【図５】図５は吊り具をピン穴より取り出す説明図である。
【図６】図１に示す補助ベルトの他の実施形態を示す要部底面斜視図図である。
【図７】図７ａはその他の使用例示図、図７ｂは要部拡大断面図である。
【図８】図８はその他の使用例示図である。
【符号の説明】
【００４２】
１  座板
２  挿通部
２ａ  先部側
２ｂ  基部側
３  吊り具本体
４  吊り紐
５  片
５ａ  先部側の片
５ｂ  基部側の片
６  空隙
６ａ  最先端の空隙
７  段部
１０  背負いベルト
１１  ピン穴
１１ａ  ピン穴の口部
１２  ベルト本体
１３  尾錠
１３ａ  尾錠ピン
１４  補助ベルト
１５  連結金具
１６  外皮体
１７  弾性体
１８  ギボシ形ピン
２０  肩ベルト
２１  ピン穴
２１ａ  ピン穴の口部
３０  ウエストベルト
３１  ピン穴
Ａ  吊り具
Ｈ  段部間の高さ
Ｗ１  ピン穴の直径
Ｗ２  ピン穴の直径
Ｗ３  ピン穴の直径
Ｒ  ランドセル
【図１】
2007289427.tif 000003
【図２】
2007289427.tif 000004
【図３】
2007289427.tif 000005
【図４】
2007289427.tif 000006
【図５】
2007289427.tif 000007
【図６】
2007289427.tif 000008
【図７】
2007289427.tif 000009
【図８】
2007289427.tif 000010